(57)【要約】  本発明は、溶液１リットル当たり０.１〜７ｍｏｌの除染剤、剥離剤、脱脂剤のうち、少なくとも1種類以上の薬剤と、  その溶液の全重量に対して、０.０１〜２５重量％の固形安定化剤と、によって構成された発泡性水溶液から形成される安定な発泡体に関する。  また、本発明は、前記安定な発泡体の調合の方法、表面の除染処理、剥離処理、脱脂処理のうち少なくとも1つの処理をするための安定な発泡体の使用の方法、および、表面の除染処理、剥離処理、脱脂処理のうち少なくとも1つの処理の方法に関する。【選択図】図３【特許請求の範囲】
【請求項１】
溶液１リットル当たり０.１〜７ｍｏｌの除染剤、剥離剤、脱脂剤のうち、少なくとも1種類以上の薬剤と、
その溶液の全重量に対して、０.０１〜２５重量％の固形安定化剤と、
によって構成された発泡性水溶液から形成されていることを特徴とする安定な発泡体。
【請求項２】
固形発泡剤と固形収着剤との少なくとも一方により構成されていることを特徴とする請求項１に記載の安定な発泡体。
【請求項３】
前記固形安定化剤を同一機能の粉末粒子、あるいは、異なる機能の粉末粒子の混合物として供給することを特徴とする請求項１または請求項２に記載の安定な発泡体。
【請求項４】
前記固形安定化剤を、完全なミネラルの粉末粒子、完全な有機物の粉末粒子、無機物−有機物の複合タイプの粒子、あるいは、このようなタイプのうち、同一または異なる少なくとも２種類の混合物として供給することを特徴とする請求項１ないし請求項３の何れか１項に記載の安定な発泡体。
【請求項５】
前記完全なミネラルの粉末粒子が、リンタングステン酸の粒子、ヘキサシアノ鉄酸ニッケルの粒子、あるいは、アルカリ金属、アルカリ土類金属、遷移金属、および、半金属から選択された１種類の物質あるいは２種類以上の物質の、酸化物、水酸化物、炭酸塩、硫酸塩、硝酸塩、シュウ酸塩および／またはチタン酸塩の粒子によって構成されていることを特徴とする請求項４に記載の安定な発泡体。
【請求項６】
完全な有機物の粒子が、熱可塑性の重合体および／または熱硬化性の重合体、あるいは、共重合体および／または生体高分子の共重合体によって構成されていることを特徴とする請求項４に記載の安定な発泡体。
【請求項７】
前記熱可塑性物質の重合体、あるいは、共重合体が、以下のファミリー、すなわち、ポリオレフィン、ポリビニル、ポリビニリデン、ポリスチレン、アクリル/メタクリル、ポリアミド、ポリエステル、ポリエーテル、ポリ（アリーレンスルホン）、多硫化物、ポリフッ素化ポリマー、ポリ（アリールエーテル・ケトン）、ポリイミド、ポリエーテルイミド、および、セルロース高分子から選択されることを特徴とする請求項６に記載の安定な発泡体。
【請求項８】
前記熱硬化性重合体あるいは共重合体が、以下のファミリー、すなわち、アミノ樹脂、ポリウレタン、不飽和ポリエステル、フェノール樹脂、ポリシロキサン、エポキシド、アリル、および、ビニール・エステル樹脂、アルキド樹脂、ポリ尿素、ポリイソシアヌレート、ポリ（ビスマレイミド）、および、ポリベンズイミダゾールから選択されることを特徴とする請求項６に記載の安定な発泡体。
【請求項９】
前記生体高分子が、微生物生体高分子、植物生体高分子、あるいは、前記生体物質の化学重合に由来する生体高分子であることを特徴とする請求項６に記載の安定な発泡体。
【請求項１０】
前記無機物−有機物複合タイプの粒子が、
請求項６ないし請求項９の何れか１項に記載の少なくとも１種類の化合物によって構成される有機物の核部分と、
少なくとも部分的には無機物であり、請求項５で定義された少なくとも１種類の化合物によって構成された表面と、
を有するか、または、
請求項５で定義された少なくとも１種類の化合物によって構成された無機物の核と、
少なくとも部分的には有機物であり、請求項６ないし請求項９の何れかl項に記載の少なくとも１種類の化合物によって構成された表面と、
を有すること、
を特徴とする請求項４に記載の安定な発泡体。
【請求項１１】
前記粉末粒子の表面が、一様に親水性を有するか、一様に疎水性を有するかの何れかであるか、あるいは、全表面領域の０.０１〜９９.９９％の親水性の表面領域と疎水性の残りの表面領域（全表面領域の９９.９９〜０.０１％）とを有することを特徴とする請求項３ないし請求項１０の何れか１項に記載の安定な発泡体。
【請求項１２】
前記粉末粒子は、有機分子をグラフトすることによって官能基を有することを特徴とする請求項３ないし請求項１１の何れかl項に記載の安定な発泡体。
【請求項１３】
前記発泡性水溶液が、酸または酸の混合物、塩基または塩基の混合物、酸化剤、還元剤、殺菌剤、抗酸化剤、防腐剤および、それらの混合物から選択された除染剤、剥離剤、脱脂剤のうち、少なくとも１種類以上の薬剤によって構成されていることを特徴とする請求項１ないし請求項１２の何れか１項に記載の安定な発泡体。
【請求項１４】
さらに、前記発泡性水溶液が、界面活性剤、無機酸化剤、錯化剤、および／または、有機ゲル化剤によって構成されていることを特徴とする請求項１ないし請求項１３の何れか１項に記載の安定な発泡体。
【請求項１５】
前記発泡性水溶液が、１種類の界面活性剤だけか、または、
非イオン性の発泡性界面活性剤、アニオンまたはカチオンの発泡性界面活性剤、両性の界面活性剤、ボラ型構造を有する界面活性剤、ジェミニ型の構造を有する界面活性剤、および、高分子界面活性剤から選択された少なくとも２種類の界面活性剤の混合物かによって構成されていることを特徴とする請求項１４に記載の安定な発泡体。
【請求項１６】
除染処理、剥離処理、脱脂処理のうち少なくとも1つの処理のための活性剤、前記固形安定化剤と、
必要ならば、請求項１ないし請求項１５の何れか１項で定義された前記界面活性剤、前記酸化剤、前記錯化剤、前記ゲル化剤、および／または、前記固形発泡剤や固形収着剤と、
を前記発泡体の生成前に一緒に混合する工程を有することを特徴とする請求項１ないし請求項１５の何れか１項に記載の安定な発泡体の調合の方法。
【請求項１７】
前記固形安定化剤が、混合物中に、その場で形成されることを特徴とする請求項１６に記載の調合の方法。
【請求項１８】
前記発泡性液体に接触する懸濁液を形成して前記発泡体を生成するために、
前記除染処理、剥離処理、脱脂処理のうち少なくとも1つの処理のための活性剤と、
必要ならば、請求項１ないし請求項１５の何れか１項で定義された前記界面活性剤、前記固形安定化剤、前記固形発泡剤や固形収着剤、前記酸化剤、前記錯化剤および／または前記ゲル化剤、あるいは、
前記気体の中に直接導入された前記固形安定化剤の全部または一部および／または前記固形発泡剤と収着剤との全部または一部と、
を一緒に混合する工程を有することを特徴とする請求項１ないし請求項１５の何れか１項に記載の安定な発泡体の調合の方法。
【請求項１９】
請求項１ないし請求項１５の何れか１項に記載の安定な発泡体、あるいは、請求項１６ないし請求項１８の何れか１項に記載の工程により調合された、表面の除染処理、剥離処理、脱脂処理のうち少なくとも1つの処理をするための安定な発泡体の使用の方法。
【請求項２０】
請求項１６ないし請求項１８の何れか１項に記載の方法によって安定な発泡体を調合する処理（a）と、
処理（a）で得られた前記安定な発泡体を前記取り扱う表面に付与する処理（b）と、
からなる工程を含むことを特徴とする表面の除染処理、剥離処理、脱脂処理のうち少なくとも1つの処理の方法。
【請求項２１】
前記発泡体および／または前記発泡体を形成する液体を、それが流れ落ちた後に回収する処理からなる付加的な工程を有することを特徴とする請求項２０に記載の方法。
【請求項２２】
前記発泡体が、その中の前記固形安定化剤を回収するための装置に搬送される前に、収着によって回収されることを特徴とする請求項２１に記載の方法。
【請求項２３】
前記液体から前記固形安定化剤を分離するために、前記液体が流れ落ちた後に、前記発泡体を形成する液体が回収されることを特徴とする請求項２１に記載の方法。
【請求項２４】
液体中に分散した固形物を回収可能とする軟凝集処理、遠心処理、選別処理、あるいは、任意の他の装置によって実行するか、しない沈殿処理によって、前記分離が実行されることを特徴とする請求項２３に記載の方法。
【請求項２５】
請求項２４で定義された分離工程後に回収された前記固形安定化剤が、前記除染処理、剥離処理、脱脂処理のうち少なくとも1つの処理の工程中に再利用可能とされるか、あるいは、特に前記捕獲された化学物質の離脱することによって再生されるか、あるいは、ガラス化処理、石炭化処理、または、灰化処理によって除去されることを特徴とする請求項２３または請求項２４に記載の方法。
【請求項２６】
請求項２４で定義された分離工程後に回収された前記廃液が、ほとんど汚染されておらず、かつ、ほとんど発泡不能なものとなっていることを特徴とする請求項２３または請求項２４に記載の方法。
【発明の詳細な説明】
【技術分野】
【０００１】
本発明は、表面の除染処理、剥離処理および脱脂処理の分野に関する。
【０００２】
本発明で取り扱う表面は、金属の表面でも非金属の表面でもよく、程度の差こそあれアクセス可能であり、油脂、放射性の無機堆積物、酸化層により汚染されているか、その構造全体にわたって汚染されている。
【０００３】
そこで、本発明では、そのような表面の除染処理、剥離処理および脱脂処理のための溶液、合成物質、および、発泡体を提供する。
【０００４】
本発明に係る合成物質と溶液とによって、あらゆるタイプの表面の除染処理、剥離処理、脱脂処理のうち少なくとも1つの処理を可能とする発泡体を得ることができ、さらに詳細には粉末粒子状の固形安定化剤を含む発泡体を得ることができる。
【０００５】
また、本発明は、上記の発泡体の調合方法、および、その使用方法に関する。
【背景技術】
【０００６】
従来から、表面を処理するための除染処理、剥離処理、脱脂処理のうち少なくとも1つの処理をするための合成物質が多数知られている。
【０００７】
これらの合成物質は、ゲル状のものと発泡体状のものとの両方で供給可能である。
【０００８】
本出願人による現在までの研究により、０.２〜２重量％の発泡性の有機界面活性剤、０.１〜１.５重量％のゲル化剤、および、０.２〜７Mの除染用無機酸あるいは無機塩基からなるゲル状の（あるいは増粘した）除染用の発泡体の開発がとりわけ可能になった。
【０００９】
このようなゲル状の発泡体は、特許文献１に記載されている。
【００１０】
この発泡体により、合成物質に関して、さらに詳細には、従来の除染用合成物質に関して、非常に多くの効果が示される。
【００１１】
これらの効果には、特に存続時間の増加と、表面処理における一層の有効性と、生成される廃液量の削減とがある。
【００１２】
本発明の１つの目的は、特許文献１に記載された発泡体に比べて一層改良された特性を有する発泡体を提供することにある。
【００１３】
上記の改良は、非常に詳細には、所定の体積の発泡体を形成するのに必要な界面活性剤の量、発泡体を安定させるためのゲル化剤の量、および、除染処理、剥離処理、脱脂処理のうち少なくとも1つの処理が実行された際に発泡体の存続時間の最後に得られる生成物の取扱方法に関する。
【先行技術文献】
【特許文献】
【００１４】
【特許文献１】ＷＯ２００４/００８４６３
【特許文献２】EP  １  ０５３  ２７７
【特許文献３】ＦＲ−Ａ−２  ８１７  １７０
【非特許文献】
【００１５】
【非特許文献１】Reculusa S., Poncet−Legrand C. “Hybrid dissymetrical colloidal particles”, Chem. Mater. 2005, 17, 3338−3344
【発明の概要】
【００１６】
上述したように、本出願人による研究によって、表面の除染処理、剥離処理および脱脂処理に使用され、従来のゲル状発泡体の（存続時間の増加、表面処理における一層の有効性、および、生成される廃液量の削減などの）特性を有するだけでなく、上述の改良点を有する発泡体の開発が可能となった。
【００１７】
この目的は、粉末粒子状の固形安定化剤からなる安定な発泡体を用いて達成される。
【００１８】
具体的には、本発明に係る安定な発泡体は、取り扱う表面との持続的な接触を保証する１〜２４時間の長い存続時間を有しており、一定の含水率を有する発泡体は、この表面で保持性を有している。
【００１９】
これらの効果は、取り扱う表面に高温部分がある場合には、特に有効となる。
【００２０】
本発明に係る安定な発泡体の上記の存続時間によって、除染処理、剥離処理、脱脂処理のうち少なくとも1つの処理について高い効果を得ることができ、除染溶液を使用した洗浄工程の場合と同様の除染効果を得ることができる。
【００２１】
したがって、本発明に係る安定な発泡体の、表面への噴霧による除染を行う場合には、この発泡体の存続時間を延すことにより、特に有効となる噴霧量の削減が可能となる。
【００２２】
上記の発泡体は、液体中に散在する気泡により構成され、温度および圧力の標準状態における以下の関係式
【数１】
2010518250.tif 000002
によって、よく定義される、それの膨張（EV）によって特徴づけられる。
【００２３】
本発明に係る安定な発泡体は、その生成装置の出口で約５〜２０倍の初期膨張を示し、放射能除染の場合には１０〜１５倍となるので、１０ｍ３より少ない液体を使用して大きい体積（例えば１００ｍ３）が処理可能となる。
【００２４】
最終的に、上記の発泡体の自然な流れ落ちの後に、その汚染された液体は回収され、壁体は非常に少ない水の量（約１［ｌ／ｍ２］）で洗い流される。
【００２５】
このように、廃液は、ほとんど生成されないので、後に続く（貯蔵容器は規格を満たしており蒸発がほとんど起こらない）処理に対する全ての手順について単純化が可能となる。
【００２６】
したがって、特許文献１に記載されたゲル状の発泡体と同様に、本発明に係る安定な発泡体により、充填処理（「静的な」作用）、循環処理、あるいは、アクセス可能な表面上への噴霧処理によって、大型であるか、あるいは形状が複雑でアクセスできない設備から放射能を除去することができる。
【００２７】
例えば、放射線処理量が（４０Ｇｙ／ｈに及ぶ程）非常に多く、アクセスしにくい大容量の核分裂生成物用容器（２０〜１００ｍ３）の内側面を処理するのに、その容器を満たす除染用の発泡体を利用することは、特に推奨される。
【００２８】
これは、上記の発泡体が、冷却コイルや装置の他の部分などの全ての空間を占有し、その表面全体を濡らすことによって、その中央部または容器の有効高さ内で上記の液体の死容積を抑制するからである。
【００２９】
上述の効果に加えて、本発明に係る発泡体に粉末粒子状の固形安定化剤を導入することによって、以下の、思いがけない新たな効果が生じる。
【００３０】
すなわち、
・  所定体積の発泡体を形成するのに必要な界面活性剤の、本来、今までなら廃棄されていた分量が削減される効果、
・  従来から使用されてきた生分解性の有機ゲル化剤の、本来、今までなら廃棄されていた分量が削減される効果、
・  上記の取り扱う表面から引き剥がされた汚染物質または放射性元素などの化学物質の収着が可能となる効果、
・  除染処理、剥離処理、脱脂処理のうち少なくとも1つの処理が実行された際に、上記の発泡体の存続時間の最後に得られる生成物を処理する効果、である。
【００３１】
特に、本発明に係る安定な発泡体は、その中の無機粒子や有機粒子だけで安定化可能である。
【００３２】
したがって、生成された廃液の無機化に必要な反応剤の量と、その処理の継続時間（コスト）とが削減される。
【００３３】
さらに、本発明に係る安定な発泡体が、従来技術の通常の安定化のための有機ゲル化剤（あるいは増粘剤）からなる場合には、上記のゲル化剤の量は、その粒子の補填分だけ削減される。
【００３４】
このような補填により、液体の流れ落ちを減速させるような発泡体中の流路の遮断によっても、液体の増粘特性による（粉末の種類と発泡性媒体とに依存する）粉末の凝集によっても、上記の粉末によって安定性は増大する。
【００３５】
本発明に係る安定な発泡体の粉末粒子状の固形安定化剤は、気体−液体間の境界面に位置し得て、使用される界面活性剤の量だけ減る可能性のある発泡性界面活性剤と部分的に置き換え可能となる。
【００３６】
粉末粒子状の固形安定化剤によって、化学物質、特に取り扱う表面から引き剥がされた原子を捕獲することができる。
【００３７】
このような捕獲工程は、（溶液中に粉末粒子が存在する場合には）従来の収着法によるか、または、その他に（粉末粒子がその場で形成される場合には）共沈法により構成することができる。
【００３８】
核施設の除染との関連では、そのような粒子を使って得られる除染因子は、多くの場合１００種類以上ある。
【００３９】
したがって、上記の収着は発泡体中で起こり、廃液中でも継続可能である。
【００４０】
したがって、流れ落ちた後、化学物質を捕獲している粉末粒子も、捕獲していない粉末粒子も、沈殿や濾過などによる分離によって容易に回収される。
【００４１】
上述したように、本発明は、
・  溶液１リットル当たり０.１〜７ｍｏｌの除染剤、剥離剤、脱脂剤のうち、少なくとも1種類以上の薬剤と、
・  その溶液の全重量に対して、０.０１〜２５重量％の固形安定化剤と、
によって構成された発泡性水溶液から形成された安定な発泡体に関する。
【００４２】
本発明では、「固形の安定化剤」を、発泡性水溶液中に取り込まれ、発泡性水溶液により得られた発泡体の、安定性を改善可能とするような任意の固体物質という意味に理解する。
【００４３】
得られた安定化の効果として、大量の発泡体の形成が可能となるだけでなく、形成された発泡体に一層優れた持続性を付与することができる。
【００４４】
本発明では、上記の固形安定化剤は、単一の固形安定化剤であっても、同一または異なる機能の固形安定化剤の混合物であってもよい。
【００４５】
本発明で使用される固形安定化剤は粉末粒子として供給すると効果的である。
【００４６】
本発明では、同一機能の粉末粒子、あるいは、異なる機能の粉末粒子の混合物によって構成されるものを使用してもよい。
【００４７】
本発明のテーマである発泡性水溶液から形成された安定な発泡体は、固形発泡剤と固形収着剤との少なくとも一方により構成されている。
【００４８】
本発明の第１実施例では、粉末粒子としての固形安定化剤が、発泡性や収着性も有することができる。
【００４９】
したがって、この第１の場合では、特に、発泡性の固形安定化剤、収着性の固形安定化剤、発泡性の固形安定化剤と収着性の固形安定化剤の混合物が想定されている。
【００５０】
本発明の第２実施例では、発泡性や収着性を有する固形薬剤が、固形安定化剤に加えられる。
【００５１】
したがって、この第２の場合には、特に、少なくとも１種類の固形安定化剤と少なくとも１種類の固形発泡剤とからなる混合物の使用と、少なくとも１種類の固形安定化剤と少なくとも１種類の固形収着剤とからなる混合物の使用と、少なくとも１種類の固形安定化剤と少なくとも１種類の固形発泡性と収着剤とからなる混合物の使用とが想定されている。
【００５２】
また、（性質および形状が粉末粒子の）固形安定化剤に関する以下の定義が固形発泡剤や固形収着剤にも適用される。
【００５３】
セシウムを吸収するヘキサシアノ鉄酸ニッケルppFeNiは、収着性を有する固形薬剤の一例である。
【００５４】
１ｎｍ２当たり１５分子の割合でアミノプロピルトリエトキシシランによりグラフトされた、５４［ｇ／ｌ］で直径６５０［ｎｍ］のコロイド状のシリカの粒子が発泡性を有する固形薬剤の具体例である。
【００５５】
また、本発明では、第２実施例で定義された混合物と併用して第１実施例で定義された合成物質を使用することも想定している。
【００５６】
粉末粒子状の固形安定化剤は、本発明に係る安定な発泡体を形成する発泡性水溶液中に、溶液の全重量に対して、０.０１％〜２５％、特に０.０５％〜１０％（重量）、さらに限定して０.１％〜５％（重量）、さらに一層限定して０.５％〜３％（重量）の含有量で存在している。
【００５７】
単に安定化のための固形薬剤に加えて、固形発泡剤や固形収着剤が加えられるときは、固形薬剤の全重量に対する割合は３０％以下である。
【００５８】
粉末粒子状の固形安定化剤は、球形状あるいは完全に任意の形状であってよく、単分散あるいは多分散の粒度分布を有するものであってもよい。
【００５９】
上述の粉末粒子の特徴的な大きさを、２ｎｍ〜２００μｍ、特に５ｎｍ〜３０μｍとすると効果的である。
【００６０】
固形安定化剤は、完全なミネラル（すなわち、完全な無機物）の粉末粒子、完全な有機物の粉末粒子、無機物−有機物の複合タイプの粒子、あるいは、このようなタイプのうち、同一または異なる少なくとも２種類の混合物として供給可能である。
【００６１】
上記の複合タイプの機能は、有機物の核部分と無機物の表面部分とによって、あるいは、その逆の組み合わせによって構成可能である。
【００６２】
さらに、上述したように、本発明において使用される粉末粒子がミネラルであっても有機物であっても、その表面が一様に親水性を有するか、一様に疎水性を有するかの何れかであるか、あるいは、全表面領域の０.０１〜９９.９９％の親水性の表面領域と疎水性の残りの表面領域（全表面領域の９９.９９〜０.０１％）とを有するものであってもよい。
【００６３】
これらの両方のタイプの領域が、はっきりと分けられる場合には、上記の粒子は「両親媒性粒子」として知られている。
【００６４】
本発明に係る粉末粒子は、最終的には、有機分子をグラフトすることによって官能基を有するようにできる。
【００６５】
本発明に係る粉末粒子にグラフトされた有機分子は、特に、取り扱う表面から引き剥がされた放射性元素などの化学物質の収着特性を改善するような効果を有する。
【００６６】
この場合には、上記の有機分子は、多座配位子（例えば、ＥＤＴＡ-エチレンジアミン四酢酸）、カリックスアレーン、または、クラウン・エーテルなどの有機分子を抽出したり錯化したりすることができる。
【００６７】
ある別の形態では、上記の粉末粒子にグラフトされた有機分子は、上記の粒子の親水性、疎水性、あるいは、両親媒性の機能を変更または改善するのに利用できる。
【００６８】
これらの異なる結果を得るのに利用可能な様々な有機分子は、当業者には公知になっている。
【００６９】
本発明で使用可能であり、限定されない例として提供可能な様々なタイプの粉末粒子が、以下にリストアップされている。
【００７０】
本発明に係るミネラルの粉末粒子には、リンタングステン酸の粒子、ヘキサシアノ鉄酸ニッケルの粒子、あるいは、アルカリ金属、アルカリ土類金属、遷移金属、および、半金属から選択された１種類の物質あるいは２種類以上の物質の、酸化物、水酸化物、炭酸塩、硫酸塩、硝酸塩、シュウ酸塩やチタン酸塩の粒子（例えば、混合酸化物であるアルミノケイ酸塩Na２O・Al２O３・４SiO２，CaO・Fe２O３，CaCO３，BaSO４，BaTiO３，Ca３（PO４）２，TiO２，Fe２O３，ZrO２，MnO２，SiO２）が含まれている。
【００７１】
このような粉末粒子としては、特に、Acros  Organics社のものが有効である。
【００７２】
本発明で使用可能な放射性元素を吸収するミネラルの粉末粒子としては、Ca３（PO４）２，CaCO３，MnO２，リンタングステン酸（H３PO４・１２ＷＯ３・xH２O）およびヘキサシアノ鉄酸ニッケル（ppFeNi）の粒子を掲げるのが有効である。
【００７３】
特に、ストロンチウムは、塩基性媒質（pH＞１１）中で、Ca３（PO４）２，CaCO３，MnO２によって捕獲される。
【００７４】
セシウムは、酸性媒質中でリンタングステン酸（H３PO４・１２ＷＯ３・xH２O）によって、そして適度な塩基性媒質（pH＜１０）中でヘキサシアノ鉄酸ニッケルppFeNiによって捕獲される。
【００７５】
ヘキサシアノ鉄酸カリウムと硫酸ニッケルとの反応によって、その場で形成されたヘキサシアノ鉄酸ニッケルは別として、例えば、Acros  Organics社製の、これら全ての反応剤は有効である。
【００７６】
本発明では、上記の完全に有機物からなる粒子は、熱可塑性の重合体や熱硬化性の重合体、あるいは、共重合体や生体高分子の共重合体によって構成されている。
【００７７】
上記の有機物の粉末粒子を、以下のファミリーの熱可塑性の重合体または熱可塑性の共重合体の粉末粒子とすると効果的である。
【表１】
2010518250.tif 000003
【００７８】
アミノ樹脂（尿素樹脂）、ポリウレタン、不飽和ポリエステル、フェノール樹脂（フェノール・ホルムアルデヒド樹脂）、ポリシロキサン、エポキシド、アリル、および、ビニール・エステル樹脂、アルキド樹脂（フタル酸グリセロールアルキド樹脂）、ポリ尿素、ポリイソシアヌレート、ポリ（ビスマレイミド）、および、ポリベンズイミダゾールなどの熱硬化性の重合体または熱硬化性の共重合体のファミリーが、このリストに加えられる。
【００７９】
これらの重合体に由来する粒子は、ラジカルなアニオン重合またはカチオン重合、重縮合または共重合/共重縮合によって、乳剤中での熱的、光化学的、放射化学的な反応によって、そして、懸濁液中での沈殿によって合成可能である。
【００８０】
これらの重合体の基となる前駆体は、Aldrich社、Acros  Organics社、Fluka社、および、Arkema社のものが有効である。
【００８１】
最終的に、微生物生体高分子（ポリヒドロキシアルカノエート、および、誘導体）などの生体高分子、植物に由来する生体高分子（例えば、でんぷん、セルロース、リグニン、および、誘導体）、生体物質の化学重合（ポリ乳酸）に由来する生体高分子が、このリストに加えられる。
【００８２】
また、上記の有機物からなる粉末粒子を、上記の重合体の基となっている、例えば、塩化ビニリデン−塩化ビニル共重合体、または、スチレン−アクリロニトリル共重合体などのモノマー単位からなる共重合体によって構成してもよい。
【００８３】
本発明では、上記の有機物/ミネラル複合タイプの粉末粒子は、少なくとも部分的にはミネラルの表面と有機物の核部分とを有するか、または、その逆の組み合わせであってもよい。
【００８４】
これらのミネラル−有機物複合タイプの粒子が、
有機物の粉末粒子に使用可能な上述の合成物質から選択された少なくとも１種類の化合物からなる有機物の核部分と、
少なくとも部分的には無機物であり、無機物粉末粒子に使用可能な上述の合成物質から選択された少なくとも１種類の化合物からなる表面部分と、を有するか、または、ミネラルの粉末粒子に使用可能な上述の合成物質から選択された少なくとも１種類の化合物からなるミネラルの核部分と、少なくとも部分的には有機物であり、有機物の粉末粒子に使用可能な上述の合成物質から選択された少なくとも１種類の化合物からなる表面部分と、を有するかの何れかであると効果的である。
【００８５】
本発明では、有機物の核部分と完全にミネラルの表面部分（あるいは、その逆の組み合わせ、すなわち、ミネラルの核部分と完全に有機物の表面部分）を有する複合タイプの粒子と、有機物の核部分（あるいはミネラルの核部分）と親水性のミネラル部分および疎水性の有機物部分を有する表面とを有する複合タイプの粒子と、の両方を別の形態として想定しているのは明らかである。
【００８６】
特に両親媒性粒子に対応し、複合タイプの粒子でもある後者のタイプの粒子は、非特許文献１に記載されている。
【００８７】
上記の複合タイプの粒子には、有機物の表面部分とミネラルの表面部分とを有していてもよい。
【００８８】
これらの複合タイプの粒子は、例えば、気相エピタキシャル成長法（あるいは、化学気相堆積法）、または、（有機物の粒子上のミネラル層の化学的沈殿法による）液相エピタキシャル成長法によって調合可能である。
【００８９】
後者の場合には、特許文献２に記載されたTiO２またはSiO２によって覆われたポリスチレン（あるいはポリイソプレーン）の複合タイプの粒子を掲げることができる。
【００９０】
逆の配置（無機物の核部分と有機物表面部分）を有する粒子は、先に詳細に記載された重合体によってミネラル粒子をコーティングすることにより容易に形成することができる。
【００９１】
さらに、これらの合成法によって、本発明の発泡体の形成に適した粒子のリストに含まれる、両親媒性の不均一のミネラル、または、有機物の粒子が形成可能となる。
【００９２】
最終的に、上記の複合タイプの粒子は、例えば、多座配位子（例えば、ＥＤＴＡ-エチレンジアミン四酢酸）、カリックスアレーン、または、クラウン・エーテルなどの有機分子を抽出または錯化することによって表面でグラフトされたメソ多孔性のシリカ粒子であってもよい。
【００９３】
本発明に係る安定な発泡体を形成する発泡性の水溶液は、除染剤、剥離剤、脱脂剤のうち、少なくとも1種類以上の薬剤によって構成されている。
【００９４】
このような薬剤は、上記の発泡体が目的とする用途により選択される。
【００９５】
上記の発泡体が除染用の発泡体の場合には、上記の活性剤は、特に汚染物質の種類と除染される表面の機能とによって選択される。
【００９６】
除染剤、剥離剤、脱脂剤のうち、少なくとも1種類以上の薬剤を、酸、または、酸と塩基との混合物、または、塩基と酸化剤（例えば、H２O２）との混合物、還元剤、殺菌剤、抗酸化剤、防腐剤などから選択すると効果的である。
【００９７】
実行される処理に応じて、どのような除染剤、剥離剤や脱脂剤を選択するかは、当業者には公知となっている。
【００９８】
さらに詳細には、除染剤、剥離剤、脱脂剤のうち、少なくとも1種類以上の薬剤を、（「酸性発泡体」の場合）無機酸または有機酸、（「アルカリ性発泡体」の場合）無機塩基、（「酸化発泡体」の場合）酸化剤、または、それらの混合物、そして、もっと詳細には、酸−酸化剤の混合物、または、塩基−酸化剤の混合物から選択することができる。
【００９９】
上述したように、本発明に係る除染処理では、酸性またはアルカリ性の発泡体は、例えば、表面に浸透していない汚染を除去するために放射性の堆積物に対して溶解性を有するものであっても、表面に浸透した汚染に対して表面に対する適度な腐食性を有するものであってもよい。
【０１００】
第１の別の形態では、除染剤、剥離剤、脱脂剤のうち、少なくとも１種類以上の薬剤を、塩酸、硝酸、フッ化水素酸、硫酸、リン酸、シュウ酸、ギ酸、クエン酸、アスコルビン酸、および、それらの混合物から選択された無機酸とする。
【０１０１】
本発明では、上記の酸が、０.１〜７ｍｏｌ、特に０.２〜６ｍｏｌ、詳細には、０.５〜５ｍｏｌ、そして、さらに詳細には、１〜４ｍｏｌの濃度で存在していると効果的である。
【０１０２】
もちろん、これらの濃度範囲は、１リットルの発泡性溶液を調合するために加えられるＨ＋イオンの濃度に対応している。
【０１０３】
第２の別の形態では、除染剤、剥離剤、脱脂剤のうち、少なくとも１種類以上の薬剤は、水酸化ナトリウム、水酸化カリウム、炭酸ナトリウム、炭酸カリウム、および、それらの混合物から選択された無機塩基とする。
【０１０４】
本発明では、上記の塩基は、４ｍｏｌ／ｌより小さい濃度で、可能ならば、０.５〜１.５ｍｏｌ／ｌの範囲で存在していると効果的である。
【０１０５】
もちろん、これらの濃度範囲は、１リットルの発泡性溶液の調合するために加えられるＯＨ−イオンの濃度に対応している。
【０１０６】
また、本発明に係る安定な発泡体を形成している発泡性水溶液を、界面活性剤、無機酸化剤、錯化剤や有機ゲル化剤によって構成してもよい。
【０１０７】
特に、本発明に係る安定な発泡体を形成している発泡性水溶液を、少なくとも１種類の界面活性剤によって、そして、さらに限定的には、１種類の界面活性剤だけによって、あるいは、非イオン性の発泡性界面活性剤、アニオンまたはカチオンの発泡性界面活性剤、両性の界面活性剤、ボラ型構造を有する界面活性剤、ジェミニ型の構造を有する界面活性剤、および、高分子界面活性剤から選択された少なくとも２種類の界面活性剤の混合物によって構成してもよい。
【０１０８】
本発明に係る安定な発泡体を、さらに限定すると、１種類だけの界面活性剤によって、あるいは、アルキルポリグルコシド、スルホベタイン、アルカノールアミド、（酸化エチレン、または、酸化プロピレンによって塩基化されたブロック共重合体などの）ブロック共重合体界面活性剤、アルコールエトキシレート、および、アミンオキシドから選択された少なくとも２種類の界面活性剤の混合物によって構成してもよい。
【０１０９】
本発明の第１の別の形態では、使用される界面活性剤を非イオン性の発泡性界面活性剤とする。
【０１１０】
このような非イオン性の発泡性界面活性剤は、特許文献１に記載されている。
【０１１１】
例えば、それは、グルコースの天然誘導体で生分解性を有するアルキルポリグルコシド、または、アルキルポリエーテルグルコシドのファミリーから選択される。
【０１１２】
それらは、例えば、SEPPIC社の「Oramix  CG−１１０」、または、Cognis社の「Glucopon  ２１５  CS」である。
【０１１３】
本発明の第２の別の形態では、使用された界面活性剤は、例えば、スルホベタイン、または、SEPPIC社により販売されている「Amonyl  ６７５  SB」などのアルキルアミドプロピルヒドロキシスルホ-ベタインのファミリー、あるいは、「Aromox  MCD−W」などのアミンオキシド、Akzo  Nobel社により販売されるココジメチルアミンオキシドのファミリーの両性界面活性剤である。
【０１１４】
本発明に係る安定な発泡体を形成している発泡性水溶液では、上記の界面活性剤は、溶液の全重量に対して０.０１〜２重量％、特に、０.１〜１.８重量％、さらに、０.２〜１.５重量％、そして、非常に限定すると、０.５〜１％の割合で存在している。
【０１１５】
したがって、本発明に係る安定な発泡体を形成している発泡性水溶液を、過マンガン酸カリウム、４価のセリウム塩、二クロム酸カリウム、および、それらの混合物から好適に選択された無機酸化剤によって構成してもよい。
【０１１６】
本発明では、上記の発泡性溶液中の酸化剤の濃度を、１M以下、特に、０.０５〜０.５M、さらに０.１〜０.４M、そして、さらに限定して、０.２〜０.３Mとする。
【０１１７】
さらに、本発明に係る安定な発泡体を形成している発泡性水溶液を、１M以下、特に、０.０１〜０.５M、さらに、０.０２〜０.１M、そして、さらに限定して、０.０５〜０.１Mの濃度の炭酸塩、および、ＥＤＴＡなどの多座配位子から好適に選択された錯化剤によって構成してもよい。
【０１１８】
最終的に、本発明では、上記の安定な発泡体を形成している発泡性溶液を、上述の成分に加えて、溶液の全重量に対して０.０５重量％以下、特に、０.０４重量％以下、そして、さらに、０.０２％以下の含有量の有機ゲル化剤（あるいは、増粘剤）によって構成してもよい。
【０１１９】
このゲル化剤を、さらに限定して、ペクチンなどの異種多糖類、アルギン酸塩、寒天、カラギナン、ニセアカシア種子の粉末、グアーガム、および、キサンタンガムから選択された生分解性のゲル化剤とするのが有効である。
【０１２０】
本発明に係る安定な発泡体は、様々な方法で調合できる。
【０１２１】
本発明は、上述したような安定な発泡体の調合方法に関する。
【０１２２】
この調合方法の第１実施例では、上記の発泡体を形成している発泡性水溶液の様々な成分、すなわち、上記の除染処理、剥離処理、脱脂処理のうち少なくとも1つの処理のための活性剤、上記の固形安定化剤、そして、必要ならば、上記の界面活性剤、上記の酸化剤、上記の錯化剤、上記のゲル化剤、および／または、上記の固形発泡剤や収着剤は、水溶液とするために、上記の発泡体を生成する前に一緒に混合される。
【０１２３】
これらの様々な成分の上記の混合物への導入は、任意の順序で行うことができる。
【０１２４】
このような知識のおかげで、これらの薬剤の導入による顕著な特徴を有する事象において、当業者には使用される薬剤の機能によって、導入順序をどのように選択するか分かる。
【０１２５】
上記の調合方法の、この第１実施例の別の形態では、上記の固形安定化剤を、上記の混合物中に、その場で形成できる。
【０１２６】
上述のように、これは、特に固形安定化剤がヘキサシアノ鉄酸ニッケルの粉末粒子を有する場合である。
【０１２７】
これを、その場で形成することにより、程度の差はあるが、迅速に行うことができる。
【０１２８】
この理由により、それは、特に、このように形成された粉末粒子によって共沈可能な汚染化学物質が存在している場合に起こり得る。
【０１２９】
この調合方法の第２実施例において、前記発泡体を形成している発泡性水溶液の様々な成分、すなわち、上記の除染処理、剥離処理、脱脂処理のうち少なくとも1つの処理のための活性剤、そして、必要ならば、上記の界面活性剤、上記の固形安定化剤、上記の固形発泡剤や固形収着剤、上記の酸化剤、上記の錯化剤や上記のゲル化剤は、上記の発泡性液体に接触する懸濁液を形成して上記の発泡体を生成するように一緒に混合される。
【０１３０】
ただし、上記の固形安定化剤の全部または一部や上記の固形発泡剤と収着剤との全部または一部は、上記の気体の中に直接導入される。
【０１３１】
本発明に係る調合方法の、この第２実施例の第１の別の形態では、上記の固形安定化剤は、最初の水性混合物中には存在せず、上記の気体によってのみ導入される。
【０１３２】
本発明に係る調合方法の、この第２実施例の第２の別の形態では、上記の固形安定化剤が、直接、上記の気体によって導入されるだけでなく、調合方法の第１実施例（すなわち、固形安定化剤が他の成分と混合されたか、あるいは、上記の混合中に、その場で生成された場合）において示されたのと同じ条件下で水性混合物中にも存在する。
【０１３３】
上記の固形安定化剤に対する上述の別の形態と同様の別の形態が、上記の固形発泡剤や固形収着剤に適用される。
【０１３４】
また一方で、本発明に係る安定な発泡体の調合工程に関して想定された様々な別の形態の、より良い実例を示すために、上記の安定な発泡体が、固形安定化剤に加えて、固形発泡剤と固形収着剤との少なくとも１種類からなる場合の、上記の様々な組み合わせが以下の表２に与えられている。
【０１３５】
以下の表２において、
・  「安定化剤」とは、固形安定化剤、発泡性の固形安定化剤、収着性の固形安定化剤、発泡性の固形安定化剤および収着性の固形安定化剤、あるいは、それらの混合物という意味に理解される。
・  「発泡剤，収着剤の少なくとも一方」とは、固形発泡剤、固形収着剤、固形発泡剤および固形収着剤、あるいは、それらの混合物という意味に理解される。
・  表２中の一行で２度述べられた固形薬剤のタイプ（すなわち、安定化剤、発泡剤，収着剤の少なくとも一方）は、同一でも異なっていてもよい。
【表２】
2010518250.tif 000004
【０１３６】
上述の様々な調合方法によれば、当業者に公知となっている如何なる従来の発泡体生成装置であっても上記の発泡体を生成することができる。
【０１３７】
それは、特に、気泡を有するか有さない静的混合装置、特許文献３に記載された装置、または、スプレーノズルを使用する装置などによる機械的撹拌、拡散により気体−液体の混合を行う任意の装置に関する。
【０１３８】
また、本発明は、上述の安定な発泡体、あるいは、上述の工程により調合された、表面の除染処理、剥離処理、脱脂処理のうち少なくとも１つの処理のための安定な発泡体の使用方法に関する。
【０１３９】
表面の除染処理を、放射性の表面堆積物を溶かすことによって、あるいは、数ミリメートルの汚染された壁の上を腐食することによって行うのが効果的である。
【０１４０】
さらに、この用途は、洗浄工程に適用されるが、放射性の油汚れ、または、放射性の無機堆積物によるものであっても、放射性の酸化層によるものであっても、汚染された金属表面の除染に対して特に効果的である。
【０１４１】
また、上記の汚染物質は、取り扱う物質本体内の数十または数百ミクロンの層中にあってもよい。
【０１４２】
この用途は、そこで取り扱う最終的な化学反応剤および廃液の量が多く、規模が大きい核施設や入り組んだ核施設、あるいはアクセスできない核施設の除染に非常によく適合する。
【０１４３】
また、本発明は、
（a）  上で定義された調合方法により安定な発泡体を調合する処理と、
（b）  処理（a）で得られた安定な発泡体を上記の取り扱う表面に付与する処理と、
からなる工程を含む表面の除染処理、剥離処理、脱脂処理のうち少なくとも1つの処理の方法に関する。
【０１４４】
上記の表面の除染処理、剥離処理、脱脂処理のうち少なくとも1つの処理の方法の処理（b）では、上記の安定な発泡体を、静的な状況下、準静的な状況下（あるいは、揚げては止めてを繰り返す状況下）、循環的な状況下、または、溶射の状況下で使用すると効果的である。
【０１４５】
また、本発明では、上記の表面の除染処理、剥離処理、脱脂処理のうち少なくとも1つの処理の方法には、それが流れ落ちた後に、上記の発泡体や上記の発泡体を形成する液体を回収する処理からなる付加的な工程を含んでいてもよい。
【０１４６】
第lの別の形態では、この付加的な工程には、流れ落ち終えていない上記の発泡体を、収着によって回収する処理を含んでいる。
【０１４７】
その後、上記の発泡体は、その中の粉末粒子状の固形安定化剤を回収するために、例えば、粒子フィルターなどの装置に搬送される。
【０１４８】
第２の別の形態では、このような付加的な工程には、上記の液体から上記の粉末粒子状の固形安定化剤を分離するために、上記の液体が流れ落ちた後に、上記の発泡体を形成する液体を回収する処理を含んでいる。
【０１４９】
このような分離は、液体中に分散した固形物を回収可能とする軟凝集処理、遠心処理、選別処理、あるいは、他のあらゆる手段に優ることもあれば劣ることもある沈殿処理によって、効果的に実行できる。
【０１５０】
したがって、上記の廃液から回収された粉末粒子状の固形安定化剤は、その後、
・  除染処理、剥離処理、脱脂処理のうち少なくとも1つの処理の（リサイクル）工程中に再利用可能とされるか、
・  あるいは、特に捕獲された化学物質が離脱することによって再生可能とされるか、
・  あるいは、ガラス化処理、石炭化処理、または、灰化処理によって除去可能とされる。
【０１５１】
本発明では、上述の分離工程後に回収された固形安定化剤を含まない廃液は、ほとんど汚染されておらず、かつ、ほとんど発泡不能なものとなっている。
【０１５２】
本発明に係る除染処理、剥離処理、脱脂処理のうち少なくとも1つの処理のための発泡体中に含まれる固形薬剤の発泡性および収着性によって、特に、このような効果が得られる。
【０１５３】
このように回収された廃液は、一層容易に扱うことが可能となり、無機化の工程の後で、必要ならば、ガラス状化されるか、または、瀝青化される。
【０１５４】
本発明に係る除染処理、剥離処理、脱脂処理のうち少なくとも1つの処理の工程の間に使用される除染処理、石炭化処理、ガラス化処理、遠心処理、選別処理などの様々な技術は、当業者には公知となっている技術である。
【０１５５】
また、図面で示された以下の例を読み進めることにより、暗黙の条件を課すことなく、添付した図面を参照することによって、本発明の他の特徴および効果が明らかになる。
【図面の簡単な説明】
【０１５６】
【図１】従来の発泡体、あるいは、本発明に係る発泡体を生成するのに使用される装置を示している。その発泡体の廃液量は、時間をかけて濁度を測定することによって測定される。
【図２】従来の硝酸/リン酸発泡体、あるいは、本発明に係る硝酸/リン酸発泡体を使用して達成される流れ落ちる速度を示している。さらに詳細には、図２は、従来の発泡体（１，２，３［g／l］のキサンタンガム、あるいは、０［g／l］のシリカ粒子を含む硝酸/リン酸発泡体）と、本発明に係る発泡体、すなわち、１０，１５，２０［g／l］のシリカ粒子を含む硝酸/リン酸発泡体とに関するメスシリンダー底部での規格化した液体の高さの経時的変化を示している。
【図３】従来のアルカリ性の発泡体、あるいは、本発明に係るアルカリ性の発泡体を使用して達成される流れ落ちる速度を示している。さらに詳細には、図３は、１［g／l］のキサンタンガムを含む従来のアルカリ性の発泡体と、１０［g／l］のシリカ粒子を含む本発明に係るアルカリ性の発泡体とに関するメスシリンダー底部での規格化した液体の高さの経時的変化を示している。
【発明を実施するための形態】
【実施例１】
【０１５７】
〔増粘した発泡体と粉末を含む発泡体との流れ落ちる速度の比較〕
【０１５８】
Ｉ．  硝酸/リン酸発泡体
・  １.５MのH３PO４，１.５MのHNO３を有するGlucopon  ２１５  CS（Cognis社製）の発泡性溶液および生分解性の有機物増粘剤、キサンタンガムを含む発泡性溶液により調合された硝酸/リン酸発泡体と、
・  上記の増粘剤を０，１０，１５および２０［g／l］の濃度のAerosil  ３８０（登録商標）の粉末で置き換えた同濃度の界面活性剤および酸からなる発泡性溶液と、
について流れ落ちの特性を試験した。
【０１５９】
Degussa社（あるいは、Stochem社）により販売されているAerosil  ３８０（登録商標）の粉末は、３８０ｍ２/g±３０ｍ２/gの比表面積を有する親水性のヒュームド・シリカの粒子である。
【０１６０】
これらの発泡性溶液は、図１に詳細に記載された手順に応じて、ガラスビーズを有する静的な発泡装置を使用して適度な膨張によって、発泡体を生成するのに使用された。
【０１６１】
また、このように、１０倍オーダーに体積が膨張する発泡体が調合されているので、その調合された溶液は激しく発泡する。
【０１６２】
これらの発泡体の流れ落ちる速度は、発泡体の濁度計の数値を時間の関数としてプロットすることによって測定される。
【０１６３】
この測定の原理は、発泡体と液体とに近赤外光線が照射された場合の発泡体の性質と液体の性質との違い、すなわち、上記の液体が近赤外光線を透過させる一方で、上記の発泡体が近赤外光線を反射するという違いに基づいている。
【０１６４】
したがって、上記の発泡体を含む試験管の底の液体の量は、時間と共に増大する信号によって表される。
【０１６５】
図２は、１，２，３［g／l］のキサンタンガムと、０，１０，１５，２０［g／l］のシリカ粒子とからなる発泡体に関するメスシリンダー底部での液体の高さの経時的変化を示している。
【０１６６】
約１０［g／l］のシリカを添加することによって、流れ落ちにかかる時間の８分オーダーの延長が可能になり、２０［g／l］の濃度では、３０分オーダーの時間でさえ達成可能となる。
【０１６７】
比較として、１［g／l］のキサンタンガムを含むアルカリ性溶液を有する上記の発泡体によって、約２分の時間が延長される。
【０１６８】
このように、導入された上記のシリカ粒子は、上記の発泡体を安定化する、それらの役割を完全に果たしている。
【０１６９】
ＩＩ．  アルカリ性の発泡体
【０１７０】
１Mの炭酸水素ナトリウムNaHCO３からなる２種類のアルカリ性の発泡体の流れ落ちの特性も上記と同一の実験装置を使用して試験された。
【０１７１】
上記の溶液の一方は、１０［g／l］のAerosil  ３８０のシリカ粒子を含み、他方は、１［g／l］のキサンタンガムを含んでいる。
【０１７２】
どちらの場合にも、上記の発泡性界面活性剤を、１リットル当たり活性物質が１０グラムの割合のGlucopon  ２１５  CS  （Cognis社製）とする。
【０１７３】
図３は、１［g／l］のキサンタンガム、または、１０［g／l］のシリカ粒子からなるアルカリ性の発泡体に関するメスシリンダー底部での液体の高さの経時的変化を示している。
【０１７４】
図３に示すように、アルカリ性の発泡体の製剤に粉末粒子を添加することにより、ここで再び、発泡体は明らかに安定になる。
【０１７５】
さらに、１０［g／l］のAerosilは、おおよそ、２［g／l］のキサンタンガムに対応しているので、この安定化は、酸性発泡体の場合より一層顕著となる。
【実施例２】
【０１７６】
〔異なるタイプの粒子により形成された発泡体の高さの比較〕
【０１７７】
いかなる分子の界面活性剤も含まない粒子からなる懸濁液の発泡性能が試験された。
【０１７８】
試験された粒子は、すべてシリカの核を有している。
【０１７９】
それらは、Kangらによって開発された方法によって合成される。
【０１８０】
いくつかのものは、それらの疎水性を強化するアミノプロピルトリエトキシシラン（ＡＰＴＥＳ）によって官能化されて飽和した表面を有する。
【化１】
2010518250.tif 000005
【０１８１】
試験された系統は、以下のものである。
【表３】
2010518250.tif 000006
【０１８２】
Aerosil  ３８０（登録商標）の粉末は、Stochem社により販売されている。
【０１８３】
一次粒子の直径は７ｎｍである。
【０１８４】
溶液中では、上記のシリカは６０〜６００ｎｍのフラクタル凝集体の構造となっている。
【０１８５】
そのままのコロイド状のシリカの粒子、あるいは、グラフトされたコロイド状のシリカの粒子の大きさは、Malvern社により販売されているZetasizer  Nano−ZSによって、光子相関分光法により決定される。
【０１８６】
上記の発泡体は、J.J.  Bikermanによって開発されたのと類似のカラム内で生成される。
【０１８７】
これは、高さ７０ｃｍ、直径３ｃｍの円筒状のガラスカラムである。
【０１８８】
発泡体は、上記の懸濁液中で３バールに圧縮した空気で泡立てることができるサイズ４の焼結されたディスクを使って、カラムの底部で発生される。
【０１８９】
上記の各特性評価実験では、予め超音波に１０分間さらした３０ｍｌの懸濁液が導入される。
【０１９０】
空気の流速は、４０ｌ／ｈにセットされている。
【０１９１】
上記の液体の上に形成された発泡体の高さが、５分間の泡立ての後に測定される。
【０１９２】
得られた結果は、以下のようになる。すなわち、
【表４】
2010518250.tif 000007
【０１９３】
Aerosil  ３８０（登録商標）を含む水の体積は、上記の空気が通過している間は膨張しない。
【０１９４】
他方で、体積の膨張は、そのままのコロイド状の粒子によって引き起こされる。
【０１９５】
このような体積の膨張は、これらの同一粒子がグラフトされた場合に、非常に大きくなる。
【０１９６】
このように、コロイド状粒子の表面の官能化によって、懸濁液の発泡能力が高められる。
【図１】
2010518250.tif 000008
【図２】
2010518250.tif 000009
【図３】
2010518250.tif 000010
【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
溶液１リットル当たり０.１〜７ｍｏｌの除染剤、剥離剤、脱脂剤のうち、少なくとも1種類以上の薬剤と、
その溶液の全重量に対して、０.０１〜２５重量％の固形安定化剤と、
によって構成された発泡性水溶液中で気泡が分散して形成されていることを特徴とする安定な発泡体。
【請求項２】
固形発泡剤と固形収着剤との少なくとも一方により構成されていることを特徴とする請求項１に記載の安定な発泡体。
【請求項３】
前記固形安定化剤を同一機能の粉末粒子、あるいは、異なる機能の粉末粒子の混合物として供給することを特徴とする請求項１または請求項２に記載の安定な発泡体。
【請求項４】
前記固形安定化剤を、完全なミネラルの粉末粒子、完全な有機物の粉末粒子、無機物−有機物の複合タイプの粒子、あるいは、このようなタイプのうち、同一または異なる少なくとも２種類の混合物として供給することを特徴とする請求項１ないし請求項３の何れか１項に記載の安定な発泡体。
【請求項５】
前記完全なミネラルの粉末粒子が、リンタングステン酸の粒子、ヘキサシアノ鉄酸ニッケルの粒子、あるいは、アルカリ金属、アルカリ土類金属、遷移金属、および、半金属から選択された１種類の物質あるいは２種類以上の物質の、酸化物、水酸化物、炭酸塩、硫酸塩、硝酸塩、シュウ酸塩および／またはチタン酸塩の粒子によって構成されていることを特徴とする請求項４に記載の安定な発泡体。
【請求項６】
完全な有機物の粒子が、熱可塑性の重合体および／または熱硬化性の重合体、あるいは、共重合体および／または生体高分子の共重合体によって構成されていることを特徴とする請求項４に記載の安定な発泡体。
【請求項７】
前記熱可塑性物質の重合体、あるいは、共重合体が、以下のファミリー、すなわち、ポリオレフィン、ポリビニル、ポリビニリデン、ポリスチレン、アクリル/メタクリル、ポリアミド、ポリエステル、ポリエーテル、ポリ（アリーレンスルホン）、多硫化物、ポリフッ素化ポリマー、ポリ（アリールエーテル・ケトン）、ポリイミド、ポリエーテルイミド、および、セルロース高分子から選択されることを特徴とする請求項６に記載の安定な発泡体。
【請求項８】
前記熱硬化性重合体あるいは共重合体が、以下のファミリー、すなわち、アミノ樹脂、ポリウレタン、不飽和ポリエステル、フェノール樹脂、ポリシロキサン、エポキシド、アリル、および、ビニール・エステル樹脂、アルキド樹脂、ポリ尿素、ポリイソシアヌレート、ポリ（ビスマレイミド）、および、ポリベンズイミダゾールから選択されることを特徴とする請求項６に記載の安定な発泡体。
【請求項９】
前記生体高分子が、微生物生体高分子、植物生体高分子、あるいは、前記生体物質の化学重合に由来する生体高分子であることを特徴とする請求項６に記載の安定な発泡体。
【請求項１０】
前記無機物−有機物複合タイプの粒子が、
請求項６ないし請求項９の何れか１項に記載の少なくとも１種類の化合物によって構成される有機物の核部分と、  
少なくとも部分的には無機物であり、請求項５で定義された少なくとも１種類の化合物によって構成された表面と、
を有するか、または、
請求項５で定義された少なくとも１種類の化合物によって構成された無機物の核と、
少なくとも部分的には有機物であり、請求項６ないし請求項９の何れかl項に記載の少なくとも１種類の化合物によって構成された表面と、
を有すること、
を特徴とする請求項４に記載の安定な発泡体。
【請求項１１】
前記粉末粒子の表面が、一様に親水性を有するか、一様に疎水性を有するかの何れかであるか、あるいは、全表面領域の０.０１〜９９.９９％の親水性の表面領域と疎水性の残りの表面領域（全表面領域の９９.９９〜０.０１％）とを有することを特徴とする請求項３ないし請求項１０の何れか１項に記載の安定な発泡体。
【請求項１２】
前記粉末粒子は、有機分子をグラフトすることによって官能基を有することを特徴とする請求項３ないし請求項１１の何れかl項に記載の安定な発泡体。
【請求項１３】
前記発泡性水溶液が、酸または酸の混合物、塩基または塩基の混合物、酸化剤、還元剤、殺菌剤、抗酸化剤、防腐剤および、それらの混合物から選択された除染剤、剥離剤、脱脂剤のうち、少なくとも１種類以上の薬剤によって構成されていることを特徴とする請求項１ないし請求項１２の何れか１項に記載の安定な発泡体。
【請求項１４】
さらに、前記発泡性水溶液が、界面活性剤、無機酸化剤、錯化剤、および／または、有機ゲル化剤によって構成されていることを特徴とする請求項１ないし請求項１３の何れか１項に記載の安定な発泡体。
【請求項１５】
前記発泡性水溶液が、１種類の界面活性剤だけか、または、
非イオン性の発泡性界面活性剤、アニオンまたはカチオンの発泡性界面活性剤、両性の界面活性剤、ボラ型構造を有する界面活性剤、ジェミニ型の構造を有する界面活性剤、および、高分子界面活性剤から選択された少なくとも２種類の界面活性剤の混合物かによって構成されていることを特徴とする請求項１４に記載の安定な発泡体。
【請求項１６】
除染処理、剥離処理、脱脂処理のうち少なくとも1つの処理のための活性剤、前記固形安定化剤と、
必要ならば、請求項１ないし請求項１５の何れか１項で定義された前記界面活性剤、前記酸化剤、前記錯化剤、前記ゲル化剤、および／または、前記固形発泡剤や固形収着剤と、
を前記発泡体の生成前に一緒に混合する工程を有することを特徴とする請求項１ないし請求項１５の何れか１項に記載の安定な発泡体の調合の方法。
【請求項１７】
前記固形安定化剤が、混合物中に、その場で形成されることを特徴とする請求項１６に記載の調合の方法。
【請求項１８】
前記発泡性液体に接触する懸濁液を形成して前記発泡体を生成するために、
前記除染処理、剥離処理、脱脂処理のうち少なくとも1つの処理のための活性剤と、
必要ならば、請求項１ないし請求項１５の何れか１項で定義された前記界面活性剤、前記固形安定化剤、前記固形発泡剤や固形収着剤、前記酸化剤、前記錯化剤および／または前記ゲル化剤、あるいは、
前記気体の中に直接導入された前記固形安定化剤の全部または一部および／または前記固形発泡剤と収着剤との全部または一部と、
を一緒に混合する工程を有することを特徴とする請求項１ないし請求項１５の何れか１項に記載の安定な発泡体の調合の方法。
【請求項１９】
請求項１ないし請求項１５の何れか１項に記載の安定な発泡体、あるいは、請求項１６ないし請求項１８の何れか１項に記載の工程により調合された、表面の除染処理、剥離処理、脱脂処理のうち少なくとも1つの処理をするための安定な発泡体の使用の方法。
【請求項２０】
請求項１６ないし請求項１８の何れか１項に記載の方法によって安定な発泡体を調合する処理（a）と、
処理（a）で得られた前記安定な発泡体を前記取り扱う表面に付与する処理（b）と、
からなる工程を含むことを特徴とする表面の除染処理、剥離処理、脱脂処理のうち少なくとも1つの処理の方法。
【請求項２１】
前記発泡体および／または前記発泡体を形成する液体を、それが流れ落ちた後に回収する処理からなる付加的な工程を有することを特徴とする請求項２０に記載の方法。
【請求項２２】
前記発泡体が、その中の前記固形安定化剤を回収するための装置に搬送される前に、収着によって回収されることを特徴とする請求項２１に記載の方法。
【請求項２３】
前記液体から前記固形安定化剤を分離するために、前記液体が流れ落ちた後に、前記発泡体を形成する液体が回収されることを特徴とする請求項２１に記載の方法。
【請求項２４】
液体中に分散した固形物を回収可能とする軟凝集処理、遠心処理、選別処理、あるいは、任意の他の装置によって実行するか、しない沈殿処理によって、前記分離が実行されることを特徴とする請求項２３に記載の方法。
【請求項２５】
請求項２４で定義された分離工程後に回収された前記固形安定化剤が、前記除染処理、剥離処理、脱脂処理のうち少なくとも1つの処理の工程中に再利用可能とされるか、あるいは、特に前記捕獲された化学物質の離脱することによって再生されるか、あるいは、ガラス化処理、石炭化処理、または、灰化処理によって除去されることを特徴とする請求項２３または請求項２４に記載の方法。
【請求項２６】
請求項２４で定義された分離工程後に回収された前記廃液が、ほとんど汚染されておらず、かつ、ほとんど発泡不能なものとなっていることを特徴とする請求項２３または請求項２４に記載の方法。
【国際調査報告】
2010518250.tif 000011
2010518250.tif 000012
2010518250.tif 000013
2010518250.tif 000014
2010518250.tif 000015
2010518250.tif 000016